(57)【要約】【課題】  原稿スケール部の一部に反り、変形があっても原稿セット時に、原稿が原稿スケールとコンタクトガラスとの隙間に潜りこむことがない画像読取装置を提供する。【解決手段】  原稿Ｐを載置するコンタクトガラス２と、原稿Ｐの載置位置を決めるためのスケール２１ｂを有する原稿スケール部２１と、原稿Ｐに光を照射する光源８と、その光源８による照射により得られた原稿Ｐからの反射光を移動可能な走行体により読取る読取光学系と、を備えた画像読取装置において、原稿スケール部２１のスケール２１ｂがコンタクトガラス２から離れた上方に配置され、スケール２１ｂの下方において原稿Ｐの載置時に、該原稿Ｐが当接される箇所には、別体で形成され、原稿Ｐが当接する直線的な側面２３を有する原稿潜り込み防止部材２４が設けられ、該原稿潜り込み防止部材２４を、コンタクトガラス２に密着固定させることを特徴とする。【選択図】  図１
2010130456.tif 000002
【特許請求の範囲】
【請求項１】
原稿を載置するコンタクトガラスと、
原稿の載置位置を決めるためのスケールを有する原稿スケール部と、
原稿に光を照射する光源と、その光源による照射により得られた原稿からの反射光を移動可能な走行体により読取る読取光学系と、
を備えた画像読取装置において、
前記原稿スケール部のスケールが前記コンタクトガラスから離れた上方に配置され、前記スケールの下方において前記原稿の載置時に、該原稿が当接される箇所には、前記スケールとは別体で形成され、前記原稿が当接する直線的な側面を有する原稿潜り込み防止部材が設けられ、該原稿潜り込み防止部材を、前記コンタクトガラスに密着固定させることを特徴とする画像読取装置。
【請求項２】
前記原稿潜り込み防止部材は、前記コンタクトガラスに両面テープ又は接着剤で固定されることを特徴とする請求項１に記載の画像読取装置。
【請求項３】
前記原稿潜り込み防止部材は、前記コンタクトガラスと同等のガラス材であることを特徴とする請求項１又は２に記載の画像読取装置。
【請求項４】
前記原稿滑り込み防止部材は、弾性部材であることを特徴とする請求項１又は２に記載の画像読取装置。
【請求項５】
前記原稿潜り込み防止部材は、帯板状に形成される平面板であることを特徴とする請求項１ないし４のいずれか１項に記載の画像読取装置。
【請求項６】
前記原稿潜り込み防止部材は、前記側面の上方側が山形であることを特徴とする請求項１ないし５のいずれか１項に記載の画像読取装置。
【請求項７】
前記スケールには、前記原稿潜り込み防止部材の山形に形成された上方側が入りこむ窪み部が形成されることを特徴とする請求項６に記載の画像読取装置。
【請求項８】
前記スケールの窪み部と、上方側が山形に形成された前記原稿潜り込み防止部材との間には、弾性部材が介装されることを特徴とする請求項７に記載の画像読取装置。
【請求項９】
前記原稿潜り込み防止部材における帯板状に形成される前記平面板には、溝が形成され、一方、前記スケールには、下方へ突出するリブが形成され、該リブを前記溝内に嵌合させることを特徴とする請求項５に記載の画像読取装置。
【請求項１０】
前記平面板の溝と、前記スケールのリブとの嵌合箇所において、前記リブと前記溝との間に弾性部材を介装させることを特徴とする請求項９に記載の画像読取装置。
【発明の詳細な説明】
【技術分野】
【０００１】
本発明は、画像読取装置に関する。
【背景技術】
【０００２】
イメージスキャナ、複写機などにおいて、原稿の画像の読み取りには、原稿を突き当てて位置決めするための原稿スケールが設けられている。この原稿スケールは、原稿が突き当たる側縁部の下端がコンタクトガラスの上面に当接されるように設けられている（特許文献１参照）。
【０００３】
【特許文献１】特開平１１−８８５９５号公報
【発明の開示】
【発明が解決しようとする課題】
【０００４】
このような原稿スケールには、白濃度基準板が附設されるとともに、該白濃度基準板を照らすための露光ランプが設けられている。そして、原稿スケールがプラスチック材料で形成されている場合、露光ランプの熱によって原稿スケールが熱変形して浮きを生じ、コンタクトガラスと原稿スケールの側縁部の下端との間に隙間を生じてしまう。
【０００５】
この隙間が生じると、原稿の先端が隙間に入り込んでしまい、原稿の先端位置が定まらず、画像の先端が欠けたり、原稿が斜めにセットされ画像に傾きを生じてしまう不都合があった。また、原稿スケールに附設されている白濃度基準板とコンタクトガラスとの間に、ちり・紙粉等が入り込んで白濃度基準板に付着し、白色基準補正に障害をきたし、画像に白すじを発生させるおそれがある。
【０００６】
本発明は、上記課題を解決するためになされたもので、原稿スケール部の一部に反り、変形があっても原稿載置時に、原稿が原稿スケールとコンタクトガラスとの隙間に潜りこむことがない画像読取装置を提供する。
【課題を解決するための手段及び発明の効果】
【０００７】
上記課題を解決するために、本発明の画像読取装置は、原稿を載置するコンタクトガラスと、原稿の載置位置を決めるためのスケールを有する原稿スケール部と、原稿に光を照射する光源と、その光源による照射により得られた原稿からの反射光を移動可能な走行体により読取る読取光学系と、を備えた画像読取装置において、前記原稿スケール部のスケールが前記コンタクトガラスから離れた上方に配置され、前記スケールの下方において前記原稿の載置時に、該原稿が当接される箇所には、前記スケールとは別体で形成され、前記原稿が当接する直線的な側面を有する原稿潜り込み防止部材が設けられ、該原稿潜り込み防止部材を、前記コンタクトガラスに密着固定させることを特徴とすることにより、原稿スケール部に反り、歪みによる変形が発生しても、原稿潜り込み防止部材は別体で形成されてコンタクトガラスに密着固定しているため、原稿潜り込み防止部材と、コンタクトガラスとの間に隙間が生じないので、原稿セット時に、原稿潜り込み防止部材と、コンタクトガラスとの間に原稿の先端が潜りこむことがないので、斜め画像や画像先端欠けを防止できる。
【０００８】
また、上記課題を解決するために、本発明の画像読取装置の前記原稿潜り込み防止部材は、前記コンタクトガラスに両面テープ又は接着剤で固定されることを特徴とすることにより、両面テープ又は接着材によって原稿潜り込み防止部材を確実にコンタクトガラスに隙間なく設置することができるため、原稿潜り込み防止部材と、コンタクトガラスとの間に原稿の先端が潜りこむことがないので、斜め画像や画像先端欠けを防止できる。
【０００９】
また、上記課題を解決するために、本発明の画像読取装置の前記原稿潜り込み防止部材は、前記コンタクトガラスと同等のガラス材であることを特徴とすることにより、コンタクトガラスと同等のガラス素材としているので、読取光学系の光源（照明ランプ等）の熱により膨張することがあっても、膨張係数が同一のため、原稿潜り込み防止部材とコンタクトガラスとの間に隙間が生じることがないので、斜め画像や画像先端欠けを防止できる。
【００１０】
また、上記課題を解決するために、本発明の画像読取装置の前記原稿滑り込み防止部材は、弾性部材であることを特徴とすることにより、読取光学系の光源（照明ランプ等）の熱により膨張することがあっても、弾性部材であるため、原稿潜り込み防止部材とコンタクトガラスとの間に隙間が生じることがないので、斜め画像や画像先端欠けを防止できる。
【００１１】
また、上記課題を解決するために、本発明の画像読取装置の前記原稿潜り込み防止部材は、帯板状に形成される平面板であることを特徴とすることにより、単純な形状であるため、その製造は安価となり、結果として原稿潜り込み防止が安価に対応できることとなる。
【００１２】
また、上記課題を解決するために、本発明の画像読取装置の前記原稿潜り込み防止部材は、前記側面の上方側が山形であることを特徴とすることにより、山形の頂点側の稜線箇所によって反りを抑制できるので、原稿潜り込み防止部材が原稿セット方向に反ることによる斜め画像となることを防止できる。
【００１３】
また、上記課題を解決するために、本発明の画像読取装置の前記スケールには、前記原稿潜り込み防止部材の山形に形成された上方側が入り込む窪み部が形成されることを特徴とすることにより、窪み部によって塵・埃などがスケール下方内に侵入することを防止できるので、スケール下方に設けられる白濃度基準板に汚れが発生しなく、白濃度基準板による白補正が正常に行われ、この結果、画像にスジが発生する不具合が防止できる。
【００１４】
また、上記課題を解決するために、本発明の画像読取装置の前記スケールの窪み部と、上方側が山形に形成された前記原稿潜り込み防止部材との間には、弾性部材が介装されることを特徴とすることにより、弾性部材によって塵・埃などがスケール下方内に侵入することを防止できるので、スケール下方に設けられる白濃度基準板に汚れが発生しなく、白濃度基準板による白補正が正常に行われ、この結果、画像にスジが発生する不具合が防止できる。
【００１５】
また、上記課題を解決するために、本発明の画像読取装置の前記原稿潜り込み防止部材における帯板状に形成される前記平面板には、溝が形成され、一方、前記スケールには、下方へ突出するリブが形成され、該リブを前記溝内に嵌合させることを特徴とすることにより、その嵌合により原稿潜り込み防止部材が反ろうとしても、その反りを抑制できるため、原稿潜り込み防止部材とコンタクトガラスとの間に隙間が生じることがないので、斜め画像や画像先端欠けを防止できる。
【００１６】
また、上記課題を解決するために、本発明の画像読取装置の前記平面板の溝と、前記スケールのリブとの嵌合箇所において、前記リブと前記溝との間に弾性部材を介装させることを特徴とすることにより、リブと溝の間に生じる隙間を、弾性部材により塞ぐことが可能であるため、塵・埃などがスケール下方内に侵入することを防止できるので、スケール下方に設けられる白濃度基準板に汚れが発生しなく、白濃度基準板による白補正が正常に行われ、この結果、画像にスジが発生する不具合が防止できる。
【発明を実施するための最良の形態】
【００１７】
以下、本発明の実施の形態につき図面を参照して説明する。図１は本発明の実施の形態に係る画像読取装置の概略構成図である。図１において、画像読取装置１はイメージスキャナの例である。
【００１８】
画像読取装置１は、原稿Ｐを載置するコンタクトガラス２を備えている。このコンタクトガラス２上に載置された原稿Ｐを、コンタクトガラス２に押さえつけて浮きなどを規制するための圧板３が設けられている。この圧板３は開閉自在であり、圧板３の下方にスポンジ４と原稿押えシート５を装着している。
【００１９】
コンタクトガラス２と圧板３は、本体ケース６の上部に設けられる。この本体ケース６内には、原稿Ｐの画像を読み取るための読取光学系が設けられている。この読取光学系は、コンタクトガラス２上に載置された原稿Ｐの原稿面Ｐ１の一端縁Ｐ２側から他端縁Ｐ３側に向かう走査方向Ｓに対して往復移動制御される走行体としての第一走行体７が設けられている。この第一走行体７には、原稿面Ｐ１に光を照射するランプ等の光源８と、該光源８から原稿面Ｐ１に照射された光を反射する第一ミラー９が設けられている。
【００２０】
また、原稿面Ｐ１の走査方向Ｓに対して往復移動制御される走行体としての第二走行体１０が設けられている。この第二走行体１０には、第一走行体７の第一ミラー９によって反射された反射光を、さらに所定方向に反射するための第二ミラー１１、第三ミラー１２を備えている。また、この第三ミラー１２によって反射された反射光を結像するレンズ１３と、この結像光をＣＣＤなどの光電変換素子１４によって画像情報が読取られるようになっている。これらレンズ１３、光電変換素子１４は画像読取基板１５とともに、レンズブロック１６に保持固定される。さらに、そのレンズブロック１６はステー１７により本体ケース６内に保持固定される。なお、本体ケース６は、外装部材であるスキャナ上カバー１８と、基台であるスキャナベース２０と、ゴム足２０を有している。
【００２１】
また、コンタクトガラス２に載置する原稿Ｐの原稿面Ｐ１の一端縁Ｐ２を、読取光学系の走査方向Ｓにおける一方側Ｓ１で、この走査方向Ｓと直交する走査基準線Ｌに合わせるようにして、原稿Ｐが載置されるときの位置を決めるための原稿スケール部２１を備えている。
【００２２】
原稿スケール部２１は、プラスチックやアルミなどの熱によって変形しやすい材質で形成され、コンタクトガラス２が固定される本体ケース６のスキャナ上カバー１８において、読取光学系の走査方向Ｓの一方側Ｓ１に設けられている。
【００２３】
また、原稿スケール部２１は、図２に示すように、所定幅でもって板状に形成される基板部２１ａの一側縁２１ａ１から連続して折り曲げられて、走査方向Ｓの他方側Ｓ２にむかって延出される断面倒伏Ｌ状に形成されるスケール２１ｂを有している。このスケール２１ｂは、走査方向Ｓの他方側Ｓ２に指向する一側縁２１ｂ１の長手方向にわたって、原稿Ｐの各サイズ（Ａ４サイズ、Ｂ５サイズ）に対応して位置決めの基準の目安となる目印（図示せず）が表示されている。
【００２４】
原稿スケール部２１は、基板部２１ａが走査方向Ｓの一方側Ｓ１の本体ケース６のスキャナ上カバー１８に固定されている。また、走査方向Ｓの他方側Ｓ２に位置するスケール２１ｂはコンタクトガラス２から離れた上方に位置するように配設されている。そして、このスケール２１ｂとコンタクトガラス２との間において、原稿Ｐの一端縁Ｐ２が当接される箇所には、スケール２１ｂとは別体で形成され、原稿Ｐの一端縁Ｐ２が当接する直線的な側面２３を有する原稿潜り込み防止部材２４が設けられている。
【００２５】
この原稿潜り込み防止部材２４は、材質をコンタクトガラス２と同等のガラス材や、ゴムなどのゴム状弾性部材、金属、プラスチックなどによって形成することができる。
【００２６】
原稿潜り込み防止部材２４は、断面矩形形状が一様に長手方向に連続するように帯板状に形成され、その側面２３が直線的な形態で形成されている。そして、原稿潜り込み防止部材２４は、両面テープ又は接着剤などの接着部材Ａによってコンタクトガラス２に固定されている。この固定時には、原稿潜り込み防止部材２４の側面２３を、走査基準線Ｌと一致させている。このことによって、コンタクトガラス２に載置する原稿Ｐの一端縁Ｐ２を当接できることとなる。
【００２７】
また、原稿スケール部２１におけるスケール２１ｂの裏面には、白色補正をするための白濃度基準板２５が設けられている。この白濃度基準板２５は原稿読取り前に、読取光学系による読取が行われる。
【００２８】
図３に示すように、原稿潜り込み防止部材２４の他の実施の形態にあっては、側面２３の上方が山形に形成され、断面ほぼ三角形状が一様に長手方向に連続するように三角柱状に形成することができる。この例による材質もコンタクトガラス２と同等のガラス材や、ゴムなどのゴム状弾性部材、金属、プラスチックなどによって形成することができる。また、コンタクトガラス２への固定も両面テープ又は接着剤などの接着部材Ａを使用している。
【００２９】
本例の原稿潜り込み防止部材２４の上方の山形形状箇所が入り込むように、スケール２１ｂの対向面には、断面ほぼ三角状の窪み部２１ｂ２が形成されている。また、この窪み部２１ｂ２のいずれか一方の斜面２１ｂ３と、原稿潜り込み防止部材２４の上方の山形形状箇所との間には、ゴムなどのゴム状弾性部材である弾性部材２６が介装されている。
【００３０】
図４に示すように、原稿潜り込み防止部材２４の他の実施の形態にあっては、原稿潜り込み防止部材２４の上面２４ａに、その長手方向にわたって溝２４ｂを形成している。一方、この溝２４ｂと対向するスケール２１ｂの下面には、溝２４ｂ内に嵌合されるリブ２１ｂ４が下方へ突出形成されている。
【００３１】
また、図５に示すように、溝２４ｂとリブ２１ｂ４とが遊嵌状に嵌りこませる場合には、その溝２４ｂの内側面とリブ２１ｂ４の外側面との間に、水平方向に負荷を受ける弾性部材２６が配置されている。
【００３２】
つぎに、本発明の画像読取装置の作用について説明する。画像読取装置１による原稿Ｐの読み取りは、図１に示すように、コンタクトガラス２に載置する原稿Ｐの一端縁Ｐ２を原稿潜り込み防止部材２４の側面２３に突き当てるように当接させた後、圧板３で原稿Ｐを押さえつけるようにして原稿セットを完了させる。その後は、第一走行体７が移動制御され、原稿Ｐの画像の読み取り前に、スケール２１ｂに設けられる白濃度基準板２５に光源８から光が照射され、白濃度基準板２５の読み取りが行われて白色補正が行われる。その後、第一走行体７が走査方向Ｓに移動制御されることにより、側面２３に当接されている原稿Ｐの一端縁Ｐ２から順次、画像の読み取りが行われる。
【００３３】
画像読取装置１の原稿潜り込み防止部材２４は、コンタクトガラス２に密着固定されているため、原稿スケール部２１のスケール２１ｂに反り、歪みによる変形が発生しても、原稿潜り込み防止部材２４には変形が生じないので、原稿潜り込み防止部材２４と、コンタクトガラス２との間は、隙間なく密着固定状態が維持されることとなり、原稿セット時に、原稿Ｐの先端が潜りこむことがない。また、原稿潜り込み防止部材２４は、コンタクトガラス２に両面テープ又は接着剤Ａで固定されることにより、原稿潜り込み防止部材２４を確実にコンタクトガラス２に隙間なく設置できるため、原稿セット時に、原稿Ｐの先端が潜りこむことがない。
【００３４】
また、原稿潜り込み防止部材２４は、コンタクトガラス２と同等のガラス材であるため、読取光学系の光源８の熱により膨張するも、膨張係数が同一のため、原稿潜り込み防止部材２４とコンタクトガラス２との間は、隙間なく密着固定状態が維持されるため、原稿セット時に、原稿Ｐの先端が潜りこむことがない。また、原稿滑り込み防止部材２４が弾性部材２６であれば、読取光学系の光源８の熱により膨張しても、原稿潜り込み防止部材２４と、コンタクトガラス２との間は、隙間なく密着固定状態が維持されているため、原稿セット時に、原稿Ｐの先端が潜りこむことがない。
【００３５】
また、原稿潜り込み防止部材２４は、帯板状に形成される平面板であるため、単純な形状で、その製造は安価となる。また、原稿潜り込み防止部材２４は、側面２３の上方が山形であれば、山形の頂点側の稜線箇所によって反りを抑制できる。また、スケール２１ｂには、原稿潜り込み防止部材２４の山形に形成された上方が入り込む窪み部２１ｂ２が形成されるため、窪み部２１ｂ２によって塵・埃などがスケール２１ｂ下方内に侵入することを防止できるので、スケール２１ｂ下方に設けられる白濃度基準板２５に汚れが発生しなく、白濃度基準板２５による白補正を正常に行うことができる。また、スケール２１ｂの窪み部２１ｂ２と、上方が山形に形成された原稿潜り込み防止部材２４との間には、弾性部材２６が介装されるため、この弾性部材２６によって塵・埃などがスケール２１ｂ下方内に侵入することを防止できるので、スケール２１ｂ下方に設けられる白濃度基準板２５に汚れが発生しなく、白濃度基準板２５による白補正を正常に行うことができる。
【００３６】
また、原稿潜り込み防止部材２４の平面板の溝２４ｂにスケール２１ｂのリブ２１ｂ４が嵌合させるため、その嵌合により原稿潜り込み防止部材２４が反ろうとしても、その反りを抑制できる。また、平面板の溝２４ｂと、リブ２１ｂ４との嵌合箇所において、弾性部材２６を介装させる場合では、リブ２１ｂ４と溝２４ｂの間に生じる隙間を塞ぐため、塵・埃などがスケール２１ｂ下方内への侵入を防止できる。
【００３７】
上記の構成は例示であり、これに限定されなく、種々の変更が可能であり、各実施の形態の構成要素を選択して組み合わせる形で構成することもできる。
【図面の簡単な説明】
【００３８】
【図１】本発明の画像読取装置を示す概略構成図。
【図２】画像読取装置の原稿スケール部を示す部分構成図。
【図３】画像読取装置の原稿スケール部の他の例を示す部分構成図。
【図４】画像読取装置の原稿スケール部の他の例を示す部分構成図。
【図５】画像読取装置の原稿スケール部の他の例を示す部分構成図。
【符号の説明】
【００３９】
２          コンタクトガラス
８          光源
２１        原稿スケール部
２１ｂ      スケール
２１ｂ２    窪み部
２１ｂ４    リブ
２３        側面
２４        原稿潜り込み防止部材
Ｐ          原稿
【図１】
2010130456.tif 000003
【図２】
2010130456.tif 000004
【図３】
2010130456.tif 000005
【図４】
2010130456.tif 000006
【図５】
2010130456.tif 000007